(57)【特許請求の範囲】
【請求項１】
セルラ通信システムで利用するための加入者ユニットであって、該セルラ通信システムは、少なくとも前記加入者ユニットをサポートし、パイロット信号およびアップリンク特性情報を送信する複数の基地局を有し、当該加入者ユニットは：
前記複数の基地局から選択されたターゲットの集合の基地局から、前記アップリンク特性情報を受信する受信手段；
アイドル・モード時に、前記アップリンク特性情報に応答してアクセス・メッセージ送信パワー・レベルを算出する手段；
前記アップリンク特性情報と前記算出されたアクセス・メッセージ送信パワー・レベルとに応答して、少なくとも一つの担当基地局を判定する基地局選択手段；および
前記少なくとも一つの担当基地局を介して前記セルラ通信システムにアクセスする送信手段；
によって構成されることを特徴とする加入者ユニット。
【請求項２】
前記加入者ユニット内で受信したパイロット信号の品質指標を判定する手段をさらに含んで構成される請求項１記載の加入者ユニットであって、前記少なくとも一つの担当基地局の判定は、前記アップリンク特性情報および前記パイロット信号の品質指標の両方に応答することを特徴とする請求項１に記載の加入者ユニット。
【請求項３】
前記アップリンク特性情報は、アップリンク干渉レベルであることを特徴とする請求項１に記載の加入者ユニット。
【請求項４】
前記アップリンク特性情報は、アップリンク輻輳指標であることを特徴とする請求項１に記載の加入者ユニット。
【請求項５】
前記アップリンク特性情報は、ダウンリンク送信パワー・レベル指標であることを特徴とする請求項１に記載の加入者ユニット。
【請求項６】
ターゲットの基地局の集合は、前記受信したパイロット信号パワー・レベルに応答して判定されることを特徴とする請求項１に記載の加入者ユニット。
【請求項７】
前記少なくとも一つの担当基地局は、ショート・データ・メッセージについては前記アップリンク特性情報のみに応答して選択され、呼設定については前記アップリンク特性情報および前記受信パイロット信号の品質指標の両方に応答して選択されることを特徴とする請求項１に記載の加入者ユニット。
【請求項８】
アクセス・メッセージを送信することに関連して、前記少なくとも一つの担当基地局の選択を開始する手段をさらに含んで構成されることを特徴とする請求項１に記載の加入者ユニット。
【請求項９】
請求項１に記載された少なくとも一つの加入者ユニットによって構成されることを特徴とするセルラ通信システム。
【請求項１０】
少なくとも加入者ユニットをサポートし、パイロット信号およびアップリンク特性情報を送信する複数の基地局を有するセルラ通信システムにおけるセル・アクセスの方法であって：
前記加入者ユニットにおいて、前記複数の基地局から選択されたターゲットの集合の基地局から、前記アップリンク特性情報を受信する段階；
アイドル・モード時に、前記アップリンク特性情報に応答してアクセス・メッセージ送信パワー・レベルを算出する段階；
前記アップリンク特性情報と前記算出されたアクセス・メッセージ送信パワー・レベルとに応答して、少なくとも一つの担当基地局を判定する段階；および
前記加入者ユニットが、前記少なくとも一つの担当基地局を介して前記セルラ通信システムにアクセスする段階；
によって構成されることを特徴とする方法。
【請求項１１】
前記加入者ユニットにおいて受信パイロット信号の品質指標を判定する段階をさらに含んで構成される請求項１０に記載の方法であって、前記少なくとも一つの担当基地局の前記判定は、前記アップリンク特性情報および前記パイロット信号の品質指標の両方に応答することを特徴とする請求項１１に記載の方法。
【請求項１２】
前記少なくとも一つの担当基地局を判定する前記段階は、前記アップリンク特性情報に応答してアップリンク性能指標を判定し、前記パイロット信号の品質指標に応答してダウンリンク性能指標を判定し、前記アップリンク特性情報および前記パイロット信号の品質指標の両方に応答して、アップリンク及びダウンリンク両方の優勢状態を反映する合成性能指標を判定する段階；
基地局が良好なアップリンク性能指標および良好なダウンリンク性能指標の両方を有する場合には、該基地局を前記少なくとも一つの担当基地局として選択する段階；および
それ以外の場合には、最良の合成性能指標を有する基地局を前記少なくとも一つの担当基地局として選択する段階；
によって構成されることを特徴とする請求項１０に記載の方法。
【請求項１３】
前記少なくとも一つの担当基地局を判定する前記段階は、前記アップリンク特性情報に応答してアップリンク性能指標を判定し、前記パイロット信号の品質指標に応答してダウンリンク性能指標を判定し、前記アップリンク特性情報および前記パイロット信号の品質指標の両方に応答してアップリンク及びダウンリンク両方の優勢状態を反映する合成性能指標を判定する段階；
基地局が良好なアップリンク性能指標および良好なダウンリンク性能指標の両方を有する場合には、該基地局を前記少なくとも一つの担当基地局として選択する段階；
良好なアップリンク性能指標および良好なダウンリンク性能指標の両方を有する基地局がない場合には、ショート・データ・メッセージについては、最良のアップリンク性能指標を有する基地局を前記少なくとも一つの担当基地局として選択し、
良好なアップリンク性能指標および良好なダウンリンク性能指標の両方を有する基地局がない場合、ショート・データ・メッセージ以外については、最良の合成性能指標を有する基地局を前記少なくとも一つの担当基地局として選択する段階；
によって構成されることを特徴とする請求項１０に記載の方法。
【請求項１４】
前記アップリンク性能指標は、アクセス・メッセージ送信パワー・レベルであることを特徴とする請求項１２に記載の方法。
【請求項１５】
前記合成性能指標は、アクセス・メッセージ送信パワー・レベルであることを特徴とする請求項１２に記載の方法。
【発明の詳細な説明】
（産業上の利用分野）
本発明は、加入者ユニットおよびセルラ通信システムのためのセル選択方法に関し、さらに詳しくは、ＣＤＭＡセルラ通信システムに関する。
【０００１】
（従来の技術）
セルラ通信システムでは、各加入者ユニット（例えば、移動局）は、一般に固定基地局と通信する。加入者ユニットから基地局への通信はアップリンクといい、基地局から加入者ユニットへの通信はダウンリンクという。システムの全カバレッジ・エリア(total coverage area)は多数の個別セルに分割され、各セルは一つの基地局によって主にカバーされる。一般に、セルは地理的に個別であり、近傍セルとの重複カバレッジ・エリアを有する。図１は、セルラ通信システム１００を示す。このシステムでは、基地局１０１は、無線チャネル１０５上で多数の加入者ユニット１０３と通信する。セルラ・システムにおいて、基地局１０１は特定の地理的エリア１０７内のユーザをカバーし、一方、他の地理的エリア１０９，１１１は他の基地局１１３，１１５によってカバーされる。
【０００２】
加入者ユニットが一方のセルのカバレッジ・エリアから別のセルのカバレッジ・エリアに移動すると、通信リンクは加入者ユニットと第１セルの基地局との間から、加入者ユニットと第２セルの基地局との間に変化する。これは、ハンドオーバ(handover)という。具体的には、いくつかのセルは他のより大きなセルのカバレッジ内に完全に入ることがある。
【０００３】
全基地局は、固定ネットワークによって相互接続される。この固定ネットワークは、通信回線，交換機，他の通信ネットワークへのインタフェース，基地局自体およびネットワークを運用するのに必要なさまざまなコントローラによって構成される。加入者ユニットからの呼は、固定ネットワークを介して、この呼に固有の宛先に中継される。呼が同一通信システムの２つの加入者ユニット間である場合、この呼は、他の加入者ユニットが現在位置しているセルの基地局に、固定ネットワークを介して中継される。従って、固定ネットワークを介して２つの担当セル（serving cell）間で接続が確立される。あるいは、呼が加入者ユニットと一般電話交換網（ＰＳＴＮ）に接続された電話との間である場合、この呼は担当基地局から、セルラ移動通信システムとＰＳＴＮとの間のインタフェースに中継される。それから、ＰＳＴＮによってこのインタフェースから電話に中継される。
【０００４】
セルラ移動通信システムは、加入者ユニットと基地局との間の無線通信用の周波数スペクトルが割当てられる。このスペクトルは、このシステムを同時に利用する全加入者ユニットによって共有しなければならない。
【０００５】
このスペクトルを共有する一つの方法は、符号分割多元接続（ＣＤＭＡ：Code Division Multiple Access）という方法による。直接シーケンスＣＤＭＡ（ＤＳ−ＣＤＭＡ）通信システムでは、信号は、送信される前に、高レート符号(high rate code)が乗算され、それにより信号はより広範な周波数スペクトルに拡散される。従って、狭帯域信号は拡散され、広帯域信号として送信される。受信機側では、元の狭帯域信号は、受信信号に同じ符号を乗算することによって復元される。別の符号を利用して拡散された信号は、受信機側では逆拡散(de-spread)されず、広帯域信号のままである。従って、受信機では、希望の信号として同一周波数スペクトル内で受信した干渉信号によって生じる干渉の大部分は濾波によって除去できる。そのため、異なる加入者ユニットに対して異なる符合を割当てることにより、複数の加入者ユニットを同一広帯域スペクトル内に収容できる。符号は、一般にできるだけ直交符号(orthogonal code)を選ぶことにより、加入者ユニット間で生じる干渉を最小限に抑えるべく選択される。ＣＤＭＡ通信システムについての詳しい説明は、'Spread Spectrum CDMA Systems for Wireless Communications', Glisic & Vucetic, Artech house Publishers, 1997, ISBN 0-89006-858-5にみることができる。ＣＤＭＡセルラ通信システムの例は、北米で標準化されているＩＳ９５や、現在欧州で標準化が進められているＵＭＴＳ(Universal Mobile Telecommunication System)がある。
【０００６】
利用可能な資源(resources)を効率的に利用するためには、セル選択が最適化されることが必須である。加入者ユニットが最良担当セルではないセルによって担当されている場合、最良でないことを補償するために送信パワーは増加され、干渉は増加し、それによりシステムの容量は低下する。従って、新たな呼を設定する場合、もしくはハンドオーバのために適切なセルを選択する場合のいずれにおいても、セル選択は極めて重要になる。ＵＭＴＳおよび他の第三世代広帯域ＣＤＭＡ
（Ｗ−ＣＤＭＡ）通信システムは、呼を設定するためにランダム・アクセス・チャネル（ＲＡＣＨ：random access channel）に依存する。Ｗ−ＣＤＭＡでは、物理的なＲＡＣＨ（ＰＲＡＣＨ）は、呼を設定する、すなわち、専用トラヒック・チャネルの要求を送信する、だけでなく、ショート・データ・パケットを送信するためにも用いられる。
【０００７】
ＥＴＳＩ文書"UMTS XX.07 UTRA Layer 1 Description. FDD Physical Layer Procedures, Version 0.2.0"は、現在ＵＭＴＳで想定されているセル選択およびアクセス手順について説明している。要約すると、既知の広帯域ＣＤＭＡランダム・アクセス方法では、移動局は常に一つの基地局と通信し、この基地局は最大ダウンリンク・パイロット強度(maximum downlink pilot strength)に基づいて選択される。
【０００８】
ランダム・アクセス手順中に、アクセスの試みに失敗した後の必要なバックオフ(backoff)の計算において、移動局は、ＢＣＣＨ上で公開される、いわゆるダイナミック・パーシステンス・ファクタ(dynamic persistence factor)を利用する。ＥＴＳＩ文書"Mechanisms for Managing Uplink Interference and Bandwidth" Tdoc SMG2 UMTS-L1 683/98において説明されている、このパラメータは、アップリンク・データ・フローを制御する手段であり、ＲＡＣＨ上の輻輳(congestion)の指標を表す。ダイナミック・パーシステンス・ファクタは、加入者がアクセス試み失敗後に新たなＲＡＣＨを送信するまで待たなければならない期間を示す。
【０００９】
しかし、既知のセル選択方法は、アップリンク性能を考慮せずにダウンリンク性能を最適化するので、著しい欠点がある。この結果、セル選択は非効率的になり、通信システムの通信容量を低減する。
【００１０】
（発明の概要）
本発明の発明者は、ダウンリンク・パイロット信号レベルのみに基づくセル選択では、セル選択は非効率的で、最適以下になるという理解に至った。さらに、本発明者は、これらの影響はセル選択プロセスにアップリンク情報を含めることによって緩和できるという理解に至った。
【００１１】
本発明に従って、少なくとも加入者ユニットをサポートし、かつパイロット信号およびアップリンク特性情報を送信する複数の基地局を有するセルラ通信システムにおいて用いられる加入者ユニットが提供され、前記加入者ユニットは：設定された複数の基地局から選択される基地局のターゲット・セットから前記アップリンク特性情報を受信する受信手段；前記アップリンク特性情報に応答して、少なくとも一つの担当基地局を判定する基地局選択手段；および前記少なくとも一つの担当基地局を介して前記セルラ通信システムにアクセスする送信手段によって構成される。
【００１２】
好ましくは、前記加入者ユニットは、前記加入者ユニット内で受信パイロット信号品質指標を判定する手段をさらに含んで構成され、前記少なくとも一つの担当基地局の判定は、前記アップリンク特性情報および前記パイロット信号品質指標の両方に応答する。
【００１３】
本発明の別の特長に従って、前記アップリンク特性情報は、例えば、アップリンク干渉レベル，アップリンク輻輳指標またはダウンリンク送信パワー・レベル指標でもよい。
【００１４】
本発明の一特長に従って、加入者ユニットは、前記アップリンク特性情報に応答して、アクセス・メッセージ送信パワー・レベルを算出する手段によって構成され、前記基地局選択は、前記算出されたアクセス・メッセージ送信パワー・レベルに応答する。
【００１５】
本発明の別の態様に従って、少なくとも加入者ユニットをサポートし、かつパイロット信号およびアップリンク特性情報を送信する複数の基地局を有するセルラ通信におけるセル・アクセスの方法が提供され、前記方法は：前記加入者ユニットにおいて、設定された複数の基地局から選択された基地局のターゲット・セットから前記アップリンク特性情報を受信する段階；前記アップリンク特性情報に応答して、少なくとも一つの担当基地局を判定する段階；および前記加入者ユニットが、前記少なくとも一つの担当基地局を介して前記セルラ通信システムにアクセスする段階によって構成される。
【００１６】
（好適な実施例の説明）
本発明の実施例について、図面を参照して以下で一例としてのみ説明する。
【００１７】
本発明の好適な実施例では、セル選択は、ダウンリンク状態によって制御されるだけでなく、アップリンク信号品質状態に応答して判定される。
【００１８】
以下の説明では、ＵＭＴＳの標準化に対する現行手法に準拠する実施例に焦点を当てるが、本発明はこの用途に限定されないことは明白であろう。
【００１９】
図２は、本発明が適用できるＵＭＴＳセルラ通信システム２００を示す。セルラ通信システム２００は、多数の加入者ユニット２０５，２０７を担当する多数の基地局２０１，２０３からなる。一般に、基地局２０１，２０３は、それぞれ異なる地理的エリアをカバーするが、これらのエリアは一般に重複する。基地局２０１，２０３は、無線チャネル２０９上で多数の加入者ユニット２０５，２０７をサポートし、各加入者ユニット２０５，２０７は、多くの場合、最寄りの基地局２０１，２０３である最適な基地局２０１，２０３によって主にサポートされる。一方のセルから別のセルにハンドオーバする場合、加入者ユニット２０５，２０７は複数の基地局２０１，２０３によって同時に担当できる。ソフト・ハンドオーバに適した基地局は、ＵＭＴＳではアクティブ・セット(active set)という。
【００２０】
ある加入者ユニットは、一つの基地局のみとしか通信できず、そのため加入者ユニットは担当セルの一つの候補しかないという状況にあることがある。しかし、多くの場合、加入者ユニット２０７は、基地局の集合のうちの一つまたはそれ以上の基地局によって潜在的に担当され得る。一例として、図２の加入者ユニット２０７は、３つの異なる基地局２０３が担当する３つのセルの重複部分に位置する。この例では、３つの基地局全ては、加入者ユニット２０７からの通信を潜在的に処理することが可能であり、これらの基地局のうち一つまたはそれ以上が担当基地局として選択されることが可能である。
【００２１】
現行の方法では、各基地局はダウンリンク・パイロット信号を送信する。この例では、加入者ユニット２０７は３つの全ての潜在的な担当基地局２０３からダウンリンク・パイロット信号を受信できる。基地局は、ダウンリンク・パイロット信号を送信するだけでなく、報知情報(broadcast information)も送信する。本実施例では、この報知情報は、加入者ユニットにアップリンク状態の特定の特性を通知するアップリンク特性情報を含む。具体的には、アップリンク特性情報は、アップリンク干渉レベル，アップリンク輻輳（congestion）およびダウンリンク送信パワーの情報を含む。
【００２２】
アップリンク干渉レベルは、基地局で受信するためにどれほど多くの送信パワーを加入者ユニットが必要とするのかに影響を及ぼす。他の条件が同じならば、加入者ユニットからの信号は、高い干渉レベルを有する基地局に比べて、低い干渉レベルを有する基地局において受信される可能性が高い。アップリンク輻輳は、どれほど多くのトラヒックが現在の基地局を利用しているのかを示す。従って、輻輳指標の具体的な例は、この基地局に向けられたＲＡＣＨ試みの回数である。別の例は、ＵＭＴＳ用の報知情報に含めることが提唱されているパーシステンス・ファクタ(persistence factor)である。
【００２３】
さらに、加入者ユニットは、加入者ユニットが測定するダウンリンク・パイロットの受信レベルと、加入者ユニットが報知チャネル上で読み出すことができるこのダウンリンク・パイロットの送信レベルとを利用することにより、各基地局までの経路損失(path loss)を推定できる。なお、これはダウンリンク経路損失の推定であるが、アップリンクおよびダウンリンクの経路損失は同一であるか、あるいは極めて近いことが一般に想定される。従って、ダウンリンク送信パワー・レベルは、アップリンクに関連する特性の間接的な指標であり、そのためアップリンク特性情報の一例である。ターゲット・セット内の各基地局までの経路損失と、各基地局におけるアップリンク干渉フロア(uplink interference floor)とを把握することにより、加入者ユニットはアクセス・メッセージ（ＰＲＡＣＨバースト）に必要な送信パワーを算出できる。
【００２４】
図３は、本発明の実施例による加入者ユニットを示す。加入者ユニット３００は、デュプレクサ３０３に接続されたアンテナ３０１によって構成される。デュプレクサは、受信機手段３０５に接続され、この受信機手段３０５は、報知チャネル上で基地局から送信されたアップリンク特性情報を受信すべく動作可能である。受信機手段は、担当基地局としての潜在的な候補である基地局の集合からの情報を復調する。
【００２５】
加入者ユニット３００は、どの程度ダウンリンク・パイロット信号が加入者ユニットで受信されるのかを示す指標である、受信パイロット信号品質指標を判定する手段３０７をさらに含んで構成される。パイロット信号品質指標の一例は、受信したパイロット信号パワー・レベルである。パイロット信号品質指標は、潜在的な担当基地局と考えられる基地局の集合を選択するために利用でき、従って担当セル選択のために考慮される。
【００２６】
また、加入者ユニットは、一つまたはそれ以上の担当基地局を判定すべく動作可能な基地局選択手段３０９によって構成される。基地局選択手段３０９は、受信手段に接続され、基地局選択は、受信手段によって受信されたアップリンク特性情報に応答して実行される。好ましくは、受信パイロット信号品質指標を判定する手段３０７も基地局選択手段３０９に接続され、基地局選択はパイロット信号品質指標にも応答する。
【００２７】
基地局選択手段３０９は、送信手段３１１に接続され、この送信手段３１１は、デュプレクサ３０３を介してアンテナ３０１に接続される。送信手段３１１は、基地局選択手段３０９によって選択された一つまたはそれ以上の基地局を介して通信ネットワークにアクセスすべく動作可能である。通信システムにこのようにアクセスすることは、新規呼を設定するために用いられる初期ランダム・アクセス（ＲＡＣＨ）バースト，ショート・データ・メッセージ・アクセス，ハンドオーバ要求，もしくは加入者ユニットと基地局との間の任意の他の通信を含む。また、送信手段３１１は、加入者ユニットによって選択された基地局の情報を固定ネットワークに送信すべく動作可能である。好適な実施例では、加入者ユニットは担当基地局を選択するが、資源の実際の割当ては固定ネットワークにおいて実施される。従って、加入者ユニットは、選択された担当基地局が割当てるられることは保証されない。
【００２８】
例示の実施例に従い、またダウンリンク・パイロット信号パワー・レベルを考慮して、加入者ユニットは、候補セル内の必要なＲＡＣＨ送信パワーおよび／またはアップリンク干渉フロアおよび／またはＲＡＣＨ輻輳指標を比較して、最適な担当基地局を判定する。従って、基地局選択は、アップリンクおよびダウンリンク性能の両方に基づき、著しくより効率的なセル選択が得られる。
【００２９】
上記のセル選択手順は、アイドル・モード中に連続的に実施する必要はない。好適な実施例では、加入者ユニットは、呼設定を実行することに関連して、少なくとも一つの担当基地局の選択を開始(instigate)する手段をさらに含んで構成される。この場合、セル選択は、アップリンク・パケットを送信する、あるいは新規呼を設定する直前にのみ実行される。この手法は、加入者ユニットのバッテリの電力消費を低減し、このことは移動加入者ユニットにとって大きな意味を持つ。
【００３０】
一つの特定の実施例に従って、セル選択は、アップリンクおよびダウンリンク性能指標を算出することによって実行される。ダウンリンク性能指標は、受信パイロット信号パワー・レベルと同一でもよく、またアップリンク性能指標は、加入者ユニットにて算出されるＰＲＡＣＨバーストの所要送信パワーと同一でもよい。この実施例では、担当基地局は、最良のアップリンクおよびダウンリンク性能指標の両方を有する基地局として、もしそのような基地局があれば、選択される。最良のアップリンクおよびダウンリンク性能指標の両方を有する基地局がなければ、合成性能指標(combined performance indicator)が算出され、担当基地局は、最良の合成性能指標を有する基地局として選択される。合成性能指標の一例は、受信ダウンリンク・パイロット信号パワー・レベルと、アップリンク干渉レベルとを加算する。あるいは、アップリンクおよびダウンリンク・パラメータを加重もしくはオフセットでき、また合成性能指標の計算においてアップリンクおよびダウンリンク・パラメータに対して任意の関数を適用できる。
【００３１】
若干異なる実施例において、セル選択は、呼の設定中の場合には、ショート・メッセージが送信される場合とは別に実行される。ＵＭＴＳでは、ショート・データ・メッセージは一つのＲＡＣＨバーストで送信できる。本実施例に従って、最良のアップリンクおよびダウンリンク性能指標の両方を有するセルがなければ、ショート・データ・メッセージを送信する場合には、担当基地局は最良のアップリンク性能を有するセルとして選択される。ただし、呼の設定中の場合には、担当基地局は最良の合成性能を有する基地局として選択される。
【００３２】
この手法は以下の利点を有する：ショート・メッセージをＲＡＣＨ上で送信するとき、アップリンク品質はメッセージの検出を成功する上で最も重要な要因である。これは、この場合にダウンリンクで送信される唯一の情報は肯定応答メッセージ(acknowledgement message)であり、これは少数のビットを含み、著しいシステム資源を必要としないためである。従って、最良のアップリンク性能を有する基地局として担当基地局を選択することは、システム資源の利用を最適化する。別の場合には、呼、特にデュプレクス音声通話などの対称回線交換通話(symmetrical circuit switched call)、を設定するためにＲＡＣＨバーストが用いられるとき、アップリンクおよびダウンリンク品質の両方が最重要になる。従って、合成性能に基づいて担当基地局を選択することは、この場合の所要システム資源を最小限に抑える。
【００３３】
好ましくは、基地局選択は、アクセス・メッセージ用の算出された送信パワー・レベルに基づいて実行される。前述のように、加入者ユニットは、アップリンク特性情報を利用して、アクセス・メッセージ（ＲＡＣＨバースト）用の送信パワー・レベルを算出できる。具体的には、ＲＡＣＨパワー・レベルは、ダウンリンク送信パワー・レベル（ＢＣＣＨ上で読み出される）  −  受信パイロット・パワー・レベル（加入者によって測定される）  ＋  アップリンク干渉レベル（ＢＣＣＨ上で読み出される）  ＋  所要信号対雑音比（ビット・レートの関数として知られ、あるいはＢＣＣＨ上で読み出される）として算出できる。従って、この手法は、アップリンク経路損失とダウンリンク経路損失との間の相関を前提とする。
【００３４】
よって、アクセス・メッセージ用の送信パワー・レベルは、ある基地局にアクセスするためにどの程度のパワーが必要なのかを反映するアップリンク性能指標としてみることができる。あるいは、アップリンクおよびダウンリンク両方の優勢状態を反映する合成性能指標として見ることができる。
【００３５】
本発明の一実施例に従って、基地局選択は、セット内の全基地局についてアクセス・メッセージ用のアップリンク送信パワー・レベルを判定し、そして最良性能、すなわち、最低パワー・レベル、を有する基地局を担当基地局として選択することによって実行される。
【００３６】
従って、本発明は、セル選択においてダウンリンク品質条件とアップリンク品質条件との間でより良好なバランスを与え、その結果、資源がより効率的に利用され、そのためセルラ通信システムの容量が増加する。
【００３７】
本発明によって得られる利点の特定の例として、ダウンリンク信号パワー・レベル差が１ｄＢであり、アップリンク干渉レベル差が−１０ｄＢである２つのセルの単純な例について検討する。これは、一方のセルがＲＡＣＨのゼロ負荷を有し、他方のセルが輻輳ＲＡＣＨを有する場合の典型的な例である。加入者ユニットがショート・メッセージ（例えば、電子メール，ＳＭＳ）を送信する必要がある場合、現在提唱されているＵＭＴＳセル選択手法は、メッセージ送信用の第１セルを選択する。このメッセージは輻輳ＲＡＣＨでは衝突し、そのため再送信する可能性が高く、それにより資源要求が高くなる。上記の実施例によれば、第２セルが代わりに選択され、メッセージは負荷のないＲＡＣＨにおいて最初に検出される可能性がはるかに高くなる。本提唱は、送信遅延および干渉発生の両方の低減を提供することになる。
【図面の簡単な説明】
【図１】  従来技術によるセルラ通信システムの図である。
【図２】  本発明を適用できるＵＭＴＳセルラ通信システムを示す。
【図３】  本発明の実施例による加入者ユニットの図である。
【図１】
0004503854.tif 000002
【図２】
0004503854.tif 000003
【図３】
0004503854.tif 000004